(57)【要約】【課題】１枚の紙製ブランクを折り畳んで構成される写真等の包装機能、保持機能を有し、組み立てて構成され、展示効果を良くした安価な写真立てを提供し、さらには、該ブランクを組み立て構成した三角筒の三面すべてを写真装着面とし得ることが可能な写真立てに転用できる写真状物包装具を提供する。【解決手段】３連の写真装着片からなる写真装着部と、各写真装着片の上下に連接した折り曲げ片と、写真装着部の一側に連接した折り曲げ片と、写真装着部の他側に連接した差し込み片とを有するブランクからなり、３連の写真装着片を折り畳み可能としてその折り畳み隙間に写真を挿入する写真状物包装具であり、また３連の写真装着片を三角筒状体に組み立ててその表面に写真を装着可能とすることを特徴とする写真立てに転用できる写真状物包装具。【選択図】図３
0003118692.tif 000002
【実用新案登録請求の範囲】
【請求項１】
３連の写真装着片からなる写真装着部と、各写真装着片の上下に連接した折り曲げ片と、写真装着部の一側に連接した折り曲げ片と、写真装着部の他側に連接した差し込み片とを有するブランクからなり、３連の写真装着片を折り畳み可能としてその折り畳み隙間に写真を挿入する写真状物包装具であり、また３連の写真装着片を三角筒状体に組み立ててその表面に写真を装着可能とすることを特徴とする写真立てに転用できる写真状物包装具。
【請求項２】
写真装着片の中央片に底片を連接し、組み立て時に該底片を三角筒状体の底を形成して収納具として使用可能とすることを特徴とする請求項１記載の写真立てに転用できる写真状物包装具。
【請求項３】
写真装着片を順次幅広にして折り畳み可能としたことを特徴とする請求項１または２記載の写真立てに転用できる写真状物包装具。
【考案の詳細な説明】
【技術分野】
【０００１】
本考案は、１枚の紙製のブランクを折り畳みその隙間に写真を挿入可能とする写真状物包装具であり、また該ブランクを組み立てることにより写真立てに転用できる写真状物包装具に関する。
【背景技術】
【０００２】
従来から、写真立て兼用の写真ケースは特許文献１及び特許文献２に開示されており、本出願前公知である。
【０００３】
【特許文献１】登録実用新案第３０４７４３９号公報
【特許文献２】特開平１０−３０４９５８号公報
【考案の開示】
【考案が解決しようとする課題】
【０００４】
本考案は、１枚の紙製ブランクを折り畳んで構成される写真等の包装機能、保持機能を有し、組み立てて構成され、展示効果を良くした安価な写真立てを提供し、さらには、該ブランクを組み立て構成した三角筒の三面すべてを写真装着面とし得ることが可能な写真立てに転用できる写真状物包装具を提供することを課題とする。
【課題を解決するための手段】
【０００５】
上記課題を解決するために、第１の考案は、３連の写真装着片からなる写真装着部と、各写真装着片の上下に連接した折り曲げ片と、写真装着部の一側に連接した折り曲げ片と、写真装着部の他側に連接した差し込み片とを有するブランクからなり、３連の写真装着片を折り畳み可能としてその折り畳み隙間に写真を挿入する写真状物包装具であり、また３連の写真装着片を三角筒状に組み立ててその表面に写真を装着可能とすることを特徴とし、第２の考案は、第１の考案において、写真装着片の中央片に底片を連接し、組み立て時に該底片を三角筒状体の底を形成して収納具として使用可能とすることを特徴とする第１考案の写真立てに転用できる写真状物包装具であり、また、第３の考案は、第１または第２の考案において、写真装着片を順次幅広にしたことを特徴とする写真立てに転用できる写真状物包装具である。
【考案の効果】
【０００６】
３連の写真装着片からなる写真装着部と、各写真装着片の上下に連接した折り曲げ片と、写真装着部の一側に連接した折り曲げ片と、写真装着部の他側に連接した差し込み片とを有する１枚のブランクを折り畳み可能としその隙間に写真を挿入して写真状物包装具とし、また該ブランクを三角筒状体に組み立てて写真立てとするものであるから、組み立てが極めて簡単であると共に安価に提供でき、しかも、三角筒状体の三面に写真を嵌め込んで掲示できるので、写真の装着が容易であり且つ掲示効果の優れた写真立てとすることができ、更に写真装着片に中央片に底片を連接して三角筒状体に組み立てた場合に底部を形成して収納具としても用いることが可能である                                    
【考案を実施するための最良の形態】
【０００７】
以下に、本考案を実施例を用いて具体的に説明するが、本考案における「写真状物」とは、写真の外、絵葉書、絵手紙、絵画、並びに装飾カードなどの鑑賞に耐え得るものを指し、また、ブランクは表面の装飾や文字などの印刷や、装飾紙を張り合わせた腰のある装飾厚紙であっても良い。
以下では、「写真状物」を単に写真として表現する。
〔実施例１〕
《ブランク》
本考案の写真立てに転用できる写真包装具を構成するためのブランクは、腰のある厚紙をもって作成され、図１に示すように、３連の写真装着片１〜３からなる写真装着部と、各写真装着片の上下に連接した折り曲げ片６〜１１と、写真装着部の一側に連接した折り曲げ片５と、写真装着部の他側に連接した差し込み片４とからなっている。
写真装着片１は定型の写真サイズと略同一寸法に形成し、写真装着片２は写真装着片１より幅広に形成し、さらに写真装着片３は写真装着片２よりやや幅広に形成して、折り畳み可能とし、写真装着片１、２又は３に載置した写真を巻き込み包装可能な様にに構成している。
【０００８】
各写真装着片の四隅には円弧状の切り込み１２〜２３が形成されていて、該切り込みに写真の四隅部を挿入して掲示する。この切り込みの一部に非切断部として残しておき、写真立てとして使用する際に破断して写真の四隅部を挿入するようにしておくことが好ましい。
また、写真装着片３の側辺に差し込み片４が、写真装着片１の側片に折り曲げ片５が、写真装着片１〜３の上下には折り曲げ片６〜１１が折り曲げ線を介して連設されており、この差し込み片４の基部は、写真装着片１と同一長さに形成して係止部３４、３５とし、組み立て時に写真装着片１の折り曲げ片５と折り曲げ片６、９とで構成される隙間に差し込んで、差し込み片４が不用意に離脱するのを防止する。
なお、図中２４〜３３は、写真装着片同士の間、写真装着片１と差し込み片４との間、写真装着片と折り曲げ片５、６〜１１との間に形成した折り曲げ線である。
【０００９】
《包装》
写真を包装する際のブランクの折り畳み形状を図２に示す。符号は図１と同様である。上記構成のブランクを用いて写真を包装する際は、先ず、包装する写真を写真を写真装着片１上に載置し、折り曲げ片６〜１１を折り曲げ線２８〜３３によって谷折りし、写真装着片１の裏面と折り込み片６、９とで写真の上下を挟み、次いで、折り込み片５を折り曲げ線２４によって谷折りして写真の側部を包みこみ、その後写真を内側にして写真装着片２、３を折り曲げ線２５、２６によって谷折りして写真を巻き込む様に重ね合わせ、最後に差し込み片４を折り曲げて包装体を形成する。
【００１０】
《組み立て》
写真立てとして使用刷る際の三角筒状体を図３に示す。符号は図１と同様である。上記構成のブランクを写真立てとして使用する場合は次のような順序で組み立てる。
(1) 先ず折り曲げ片５を折り曲げ線２４によって谷折りし折り曲げ片１に折り曲げ片５に重ね合わせ、次いで各折り曲げ片を折り曲げ線２８〜３３によって谷折りし、折り曲げ片６〜１１を写真装着片１〜３に重ね合わせる。
(2) 次いで真装着片１と真装着片２の間の折り曲げ線２５を谷折りし、真装着片２と真装着片３の間の折り曲げ線２６を谷折りして、三角筒状とする。
(3) 差し込み片４を折り曲げ線２７によって谷折りし、写真装着片１の側部折り曲げ片５と上下折り曲げ片６、９で構成される隙間にに差し込み片４差し込み三角筒状体を形成する。
(4) 写真装着片１〜３で形成した三角筒状体の３つの面を写真挿着面とする様に形成するように成形する。
【００１１】
上記のようにして三角筒状体に組み立てられた写真立ては、円弧状の切り込み１２〜２３の破断部を切断して、切り込み部を形成し、該切り込み部に写真の四隅部を挿入して写真を装着して使用する。
三角筒状体は、三角柱の底部として用いても良いし（縦型）、三角柱の一面を底部をして寝かせて用いても良い（横型）。
【００１２】
〔実施例２〕
《ブランク》
この実施例は実施例１の写真立てに転用できる写真包装具を三角筒状体に組み立てた場合に該三角筒状体に底部を形成して筆記具等の収納容器として使用することを可能にしたものである。
本考案の写真立てに転用できる写真包装具を作成するためのブランクは、腰のある厚紙をもって作成され、図４に示すように、３連の写真装着片１〜３からなる写真装着部と、各写真装着片の上下に連接した折り曲げ片６〜１１と、写真装着部の一側に連接した折り曲げ片５と、写真装着部の他側に連接した差し込み片４と、中央の写真装着片上下の折り曲げ片の一つに連接した底部を形成する底片４０から構成されている。
【００１３】
写真装着片１は定型の写真サイズと略同一寸法に形成し、写真装着片２は写真装着片１よりやや幅広に形成し、さらに写真装着片３は写真装着片２よりやや幅広に形成して、写真装着片１〜３を折り畳み可能とし、写真装着片１に載置した写真を巻き込み包装可能に構成している。
各写真装着片の四隅には円弧状の切り込み１２〜２３が形成されている。この切り込みの一部に非切断部を残しておき、写真立てとして使用する際に破断して写真の四隅部を挿入して掲示するようにしておくことが好ましい。
また、写真装着片３の側辺に差し込み片４が、写真装着片１の側片に折り曲げ片５が、写真装着片１〜３の上下に折り曲げ片６〜１１が連設されている。
なお、図中２４〜３３は、写真装着片間、写真装着片と差し込み片との間、写真装着片と折り曲げ片４、６〜１１との間に形成した折り曲げ線である。
【００１４】
中央の写真装着片２の折り曲げ片７に三角形状の底片４０が連設されている。
底片４０の折り曲げ片７に接続する辺は写真装着片２の巾と同一長さに、写真装着片１側の辺は写真装着片１の巾と同一長さに、写真装着片３側の辺写真装着片３の巾と同一長さに形成する。
また、底片４０の２辺には折り曲げ片４１、４２が連接しており、底片４０を連設した折り曲げ片７を折り曲げ線２９によって谷折りして写真装着片２に重ね合わせたとき、折り曲げ片４１、４２の最外端が写真装着片２の巾内に収まるように、底片の自由端部側に部分的に設けてある。
底板４０と折り曲げ片４１、４２との境の折り曲げ線４８、４９上の一部には差し込み溝４３、４４が形成され、折り曲げ片６、８上には上記差し込み溝４３、４４に合致する箇所に折り曲げ可能な差し込み舌片４５、４６が連設されている。差し込み舌片４５、４６には、差し込み時に差し込み溝４３、４４と係合する切り込み５６を形成している。
写真装着部と差し込み片４との間には、写真装着片３の側辺に連設した差し込み片４に形成した突出部５０、５１と、写真装着片１の折り曲げ線２８、３１上に形成した切り込み５２、５３とからなる差し込み片抜け止め手段が形成されている。
なお、図中４７は折り曲げ片７と底板４０との間、４８、４９は折り曲げ片４１、４２と底板４０との間、５４、５５は折り曲げ片６、８と差し込み舌片４５、４６との間に形成した折り曲げ線である。
【００１５】
《包装》
上記構成のブランクを用いて写真を包装する際は、写真を写真装着片１上の載置し、折り曲げ片６〜１１を折り曲げ線２８〜３３によって谷折りし、写真装着片１の裏面と折り込み片６、９とで写真の上下を挟み、折り曲げ片５を折り曲げ線２４によって谷折りし、その後写真を内側にして写真装着片２、３に重ね合わせ、最後に差し込み片４を折り曲げて図２に示すような包装体を形成する。
【００１６】
《組み立て》
(1) 先ず折り曲げ片５を折り曲げ線２４によって谷折りし折り曲げ片１に折り曲げ片５に重ね合わせ、次いで各折り曲げ片を折り曲げ線２８〜３３によって谷折りし、折り曲げ片６〜１１を写真装着片１〜３に重ね合わせる。
(2) 底板４０を折り曲げ線４７によって谷折りして立てる。
(3) 折り曲げ片４１、４２を折り曲げ線４８、４９によって山折りして立てる。その際、谷折りすれば、折り曲げ片４１、４２は底部ではなく、容器部に沿って存在する。
(4) 差し込み舌片４５、４６を折り曲げ線５４、５５により山折りして立て、写真装着片１と写真装着片２との間の折り曲げ線２５、及び写真装着片２と写真装着片３との間の折り曲げ線２６とを谷折りすると同時に、該差し込み舌片４５、４６を差し込み溝４３、４４に差し込み、底部を有する三角筒を形成する。
(5) 差し込み片４を折り曲げ線２７によって谷折りし、写真装着片１の端部の折り曲げ片５と上下の折り曲げ片６、９との間に差し込み片４差し込み、突出部５０、５１を切り込み５２、５３に係合させる。
【００１７】
上記のようにして組み立てた写真立ては、円弧状の切り込み破断部を切断して、切り込みぶに写真の隅部を挿入して写真を装着して使用し、有底の三角筒部分は筆記具等の収納空間として使用する。
【産業上の利用可能性】
【００１８】
本考案の写真包装具は、収納具の状態に折り畳んで写真包装具として用い、また、被提供者が写真立てに組み立て写真掲示用の三角筒状体として利用可能である。
【図面の簡単な説明】
【００１９】
【図１】実施例１のブランクの展開図である。
【図２】実施例１、２の写真包装用として用いる場合に概略図である。
【図３】実施例１、２の写真掲示用の三角筒状体として用いる場合に概略図である。
【図４】実施例２のブランクの展開図である。
【符号の説明】
【００２０】
１〜３      写真装着片
４          差し込み片
５〜１１    折り曲げ片
１２〜２３  切り込み
２４〜３３  折り曲げ線
３４、３５  差し込み片の係止部
４０        底片
４１、４２  折り曲げ片
４３、４４  差し込み溝
４５、４６  差し込み舌片
４７〜４９  折り曲げ線
５０、５１  突出部
５２、５３  切り込み
５４、５５  折り曲げ線
５６        切り込み
【図１】
0003118692.tif 000003
【図２】
0003118692.tif 000004
【図３】
0003118692.tif 000005
【図４】
0003118692.tif 000006